(57)【要約】      （修正有）【課題】幅方向の寸法が大きく、複数の嵌合部を備えていても、反りを低減できるコネクタハウジングを提供すること。【解決手段】コネクタハウジング１は、相手コネクタが嵌合される前方に、複数の嵌合フード１１が幅方向に並んで配置される嵌合部１０と、嵌合部１０よりも後方に配置される後方構造部としてのカバー３０と、を備える。カバー３０は、隣接する二つの嵌合部１０の間に設けられる実構造部と、隣接する二つの実構造部の間に設けられる切り欠きと、を備えることを特徴とする。【選択図】図１
2017130257.tif 000002
【特許請求の範囲】
【請求項１】
相手コネクタが嵌合される前方に、複数の嵌合フードが幅方向に並んで配置される嵌合部と、
前記嵌合部よりも後方に配置される後方構造部と、を備え、
前記後方構造部は、
隣接する二つの前記嵌合部の間のそれぞれに設けられる実構造部と、
隣接する二つの前記実構造部の間に設けられる切り欠き部と、
を備えることを特徴とするコネクタハウジング。
【請求項２】
前記嵌合部は、
複数の前記嵌合フードが幅方向に左右対称に配置され、
前記後方構造部は、
複数の前記実構造部及び複数の前記切り欠きが幅方向に左右対称に配置される、
請求項１に記載のコネクタハウジング。
【請求項３】
それぞれの前記実構造部は、
先端に開口する複数の肉抜きを有し、点対称に形成されている、
請求項１又は請求項２に記載のコネクタハウジング。
【請求項４】
前記嵌合部及び前記後方構造部が、繊維強化樹脂から構成される、
請求項１〜請求項３のいずれか一項に記載のコネクタハウジング。
【請求項５】
前記嵌合部が占める体積をＶ１と、前記後方構造部が占める体積をＶ２とすると、
Ｖ１：Ｖ２ ＝ １．０：１．０ 〜 １．４：１．０
を満足する、
請求項１〜請求項４のいずれか一項に記載のコネクタハウジング。
【請求項６】
それぞれの前記実構造部は、
幅方向ｙにおいて対応する二つの前記嵌合部と重複する、
請求項１〜請求項５のいずれか一項に記載のコネクタハウジング。
【発明の詳細な説明】
【技術分野】
【０００１】
本発明は、電気コネクタのハウジングに関し、特に幅方向の寸法が大きい場合に反りを低減できるコネクタハウジングに関する。
【背景技術】
【０００２】
電気コネクタの構成要素であるコネクタハウジングは、電気絶縁性の合成樹脂を射出成形することにより作製されるが、射出成形された成形体は、成形体の内部に生じる応力によって反りが生じる。コネクタハウジングに反りが生じると、筐体への組み付けの精度を満足せず、あるいは、嵌合相手のコネクタハウジングとの嵌合ができなくなる、といった不具合が生じる。
従来、コネクタハウジングの反りを低減するのに、反りが生じる壁部分を、他の部分に比べて肉厚にすることが提案されている（特許文献１）。
【先行技術文献】
【特許文献】
【０００３】
【特許文献１】特開２００７−８７８７４号公報
【発明の概要】
【発明が解決しようとする課題】
【０００４】
特許文献１のように肉厚を厚くするのは、コネクタハウジングの反りを低減するのに有効な手法であるが、コネクタハウジングの使用によっては、肉厚にすることでは反りの低減が十分でない場合がある。特に、コネクタハウジングが、幅方向の寸法が大きく、相手側の電気コネクタ（コネクタハウジング）と互いに嵌合される複数の嵌合部を備える場合には、反りを補償するのが難しい。
そこで本発明は、幅方向の寸法が大きく、複数の嵌合部を備えていても、反りを低減できるコネクタハウジングを提供することを目的とする。
【課題を解決するための手段】
【０００５】
本発明のコネクタハウジングは、相手コネクタが嵌合される前方に、複数の嵌合フードが幅方向に並んで配置される嵌合部と、嵌合部よりも後方に配置される後方構造部と、を備える。
本発明における後方構造部は、隣接する二つの嵌合部の間のそれぞれに設けられる実構造部と、隣接する二つの実構造部の間に設けられる切り欠きと、を備えることを特徴とする。
【０００６】
本発明のコネクタハウジングは、複数の実構造部を後方構造部として設けることにより、前方と後方の体積を近似させ、射出成形後にコネクタハウジングに生じる反りを低減する。
また、本発明のコネクタハウジングは、金型のキャビティに射出された樹脂が流れる向きに対して垂直方向に収縮する力を、実構造部に加えて切り欠きを設けることにより、バランスさせて、射出成形後にコネクタハウジングに生じる反りを低減する。
【０００７】
本発明のコネクタハウジングにおいて、嵌合部は、複数の嵌合フードが幅方向に左右対称に配置され、後方構造部は、複数の実構造部及び複数の切り欠きが幅方向に左右対称に配置される、ことが好ましい。
本発明のコネクタハウジングにおいて、それぞれの実構造部は、先端に開口する複数の肉抜きを有し、点対称に形成されている、ことが好ましい。
これらにより、射出成形後に生じる反りをより低減することができる。
【０００８】
本発明のコネクタハウジングにおいて、嵌合部及び後方構造部が、繊維強化樹脂から構成される場合に、反り低減という本発明の効果が顕著になる。
【０００９】
本発明のコネクタハウジングにおいて、嵌合部が占める体積をＶ１と、後方構造部が占める体積をＶ２とすると、Ｖ１：Ｖ２ ＝ １．０：１．０ 〜 １．４：１．０  を満足する、ことが反り低減にとって好ましい。
【００１０】
本発明のコネクタハウジングにおいて、それぞれの実構造部、幅方向において対応する二つの嵌合部と重複する、ことが好ましい。これも、反り低減にとって好ましい。
【発明の効果】
【００１１】
本発明によれば、複数の実構造部を後方構造部として設けることにより、前方と後方の体積を近似させる第一の特徴と、金型のキャビティに射出された樹脂が流れる向きに対して垂直方向に収縮する力を、実構造部に加えて切り欠きを設けることにより、バランスさせる第二の特徴により、射出成形後にコネクタハウジングに生じる反りを低減する。
【図面の簡単な説明】
【００１２】
【図１】本発明の実施形態に係るコネクタハウジングを示す斜視図である。
【図２】図１のコネクタハウジングを示し、（ａ）は平面図、（ｂ）は正面図、（ｃ）は底面図である。
【図３】図１のコネクタハウジングによる作用及び効果を説明するための図であり、（ａ）平面図、（ｂ）は射出成形のシミュレーション結果を示す図である。
【図４】比較例によるコネクタハウジングによる作用及び効果を説明するための図であり、（ａ）平面図、（ｂ）は射出成形のシミュレーション結果を示す図である。
【発明を実施するための形態】
【００１３】
以下、添付図面を参照しながら、本発明の実施形態に係るコネクタハウジング１について説明する。
コネクタハウジング１は、図示を省略する複数の端子（以下、同様）を保持する雌型のハウジングであり、樹脂を射出成形することにより、一体に形成される。コネクタハウジング１を構成する樹脂材料は任意であるが、本実施形態においては、繊維強化樹脂（Fiber Reinforced Plastics：ＦＲＰ）を用いているものとする。
【００１４】
コネクタハウジング１は、図１及び図２に示すように、相手側の電気コネクタが嵌合される嵌合部１０と、端子を保持する保持部２０と、保持部２０から引き出される端子を覆うカバー３０と、を備える。コネクタハウジング１は、保持部２０の構成を特定することにより、反りの発生を抑える。コネクタハウジング１の反りは、図３（ａ）に一点鎖線Ｂ（反りＢ）で示されるように、嵌合部１０の幅方向ｙの中央部が凹み、カバー３０の幅方向ｙの中央部が凸になるように、前後方向ｘに沿って生じる。
ここで、コネクタハウジング１において、図１に示すｘ軸を前後方向ｘ、ｙ軸を幅方向ｙ、ｚ軸方向を高さ方向ｚとし、前後方向ｘにおいて、嵌合部１０が設けられ相手側コネクタが嵌合される側を前、カバー３０が設けられ端子が引き出される側を後と定義する。
【００１５】
嵌合部１０は、図１及び図２に示すように、嵌合部１０Ａ〜嵌合部１０Ｅと幅方向ｙに並ぶ五つの嵌合部を備えている。五つの嵌合部は、嵌合部１０Ｃを中心にして、幅方向ｙに均等間隔で配置されている。嵌合部１０Ａ〜嵌合部１０Ｅは、同じ構造及び寸法で形成されている。
嵌合部１０Ａ〜嵌合部１０Ｅは、それぞれが角筒状をなす嵌合フード１１と、嵌合フード１１の前方に位置する開口１２から保持部２０までの間を占める受容空間１３と、を備えている。
【００１６】
保持部２０は、図１及び図２に示すように、保持壁２１と、保持壁２１に形成される保持孔２５と、を備える。端子は、保持孔２５に圧入されることで、保持壁２１に保持される。
保持壁２１は、圧入されるコンタクト（図示を省略）を保持するのに十分な圧入代が得られる厚さを有しており、前方を向いているおもて面と、後方を向いているうら面とを有している。保持孔２５は、保持する端子の位置に対応して、おもて面とうら面を貫通して形成される。
保持孔２５が形成されている保持壁２１は、嵌合部１０Ａ〜嵌合部１０Ｅのそれぞれの嵌合フード１１に対応して設けられる。
【００１７】
次に、保持部２０の後方に連なり、後方構造部をなすカバー３０は、上部構造３１と、上部構造３１と幅方向ｙの両側で繋がれる左側壁３７，右側壁３８と、を備え、カバー３０の内部には保持部２０から後方に引き出される端子が配置される。
【００１８】
上部構造３１は、幅方向ｙに間隔を隔てて設けられる複数の実構造部３２と、隣接する実構造部３２の間に設けられる切り欠き３４と、を備える。実構造部を総称する場合には実構造部３２と表記し、それぞれの実構造部を区別する場合には実構造部３２Ａ，３２Ｂ，３２Ｃ，３２Ｄと表記する。また、切り欠きを総称する場合には切り欠き３４と表記し、それぞれの切り欠き３４を区別する場合には切り欠き３４Ａ，３４Ｂ，３４Ｃ，３４Ｄ，３４Ｅと表記する。実構造部３２Ａ，３２Ｂ，３２Ｃ，３２Ｄは、幅方向ｙにおいて、左右対称に配置されている。
【００１９】
実構造部３２は、保持部２０を境にして前方に配置される嵌合部１０を構成する樹脂の体積に後方に配置されるカバー３０を構成する樹脂の体積を近似させるために設けられる。本実施形態におけるコネクタハウジング１は、嵌合部１０とカバー３０の体積をバランスさせることにより、射出成形後の反りを低減する。
それぞれの実構造部３２は、保持部２０から後方に向けて延びる直方体状の形態を有しており、その先端に矩形状の開口を有する四つの肉抜き３３が格子状に配置されている。これにより、それぞれの実構造部３２は、図１におけるｙ−ｚ平面に沿った面の形状が点対称をなしているとともに、肉抜き３３の周囲の肉厚が均一であるために、実構造部３２自身の射出成形による変形が抑えられる。ただし、本発明は、中実な実構造部３２を排除するものでなく、嵌合部１０との体積をバランスさせることができるのであれば、コネクタハウジング１を構成する樹脂材料で構成されている限り、その形態は問われない。
【００２０】
切り欠き３４は、コネクタハウジング１を射出成形により製造する際の、反りが生じにくくなるように溶融樹脂の流れを制御して、反りの発生を低減する。
切り欠き３４は、左側壁３７と実構造部３２Ａの間と、実構造部３２Ａと実構造部３２Ｂの間と、実構造部３２Ｂと実構造部３２Ｃの間と、実構造部３２Ｃと実構造部３２Ｄの間と、実構造部３２Ｄと右側壁３８の間に設けられる。切り欠き３４は、幅方向ｙにおいて、左右対称に配置されている。
切り欠き３４は、平面視して、嵌合部１０の後方に対応して設けられる。つまり、嵌合部１０Ａの後方に切り欠き３４Ａが配置され、嵌合部１０Ｂの後方に切り欠き３４Ｂが配置され、嵌合部１０Ｃの後方に切り欠き３４Ｃが配置され、嵌合部１０Ｄの後方に切り欠き３４Ｄが配置され、嵌合部１０Ｅの後方に切り欠き３４Ｅが配置される。
【００２１】
それぞれの切り欠き３４Ａ，３４Ｂ，３４Ｃ，３４Ｄ，３４Ｅは、対応する嵌合部１０Ａ，１０Ｂ，１０Ｃ，１０Ｄ，１０Ｅが平面視して幅方向ｙに占める範囲に収まっている。これにより、それぞれの実構造部３２は、幅方向ｙの両側壁を前方に延長した仮想線が、隣接する二つの嵌合部１０のそれぞれと干渉する。例えば、実構造部３２Ａにおいては、幅方向ｙの両側壁を前方に延長した仮想線Ｌ１，Ｌ２のそれぞれが嵌合部１０Ａ，嵌合部１０Ｂと干渉する。この実構造部３２と嵌合部１０の位置関係を、本実施形態において、それぞれの実構造部３２が幅方向ｙにおいて対応する二つの嵌合部１０と重複する、と定義する。例えば、実構造部３２Ａは幅方向ｙにおいて対応する嵌合部１０Ａ，嵌合部１０Ｂと重複し、他の実構造部３２Ｂ，３２Ｃ，３２Ｄも同様である。本実施形態においては、実構造部３２Ａが嵌合部１０Ａと重複する寸法と実構造部３２Ａが嵌合部１０Ｂと重複する寸法が等しい。
【００２２】
次に、図３を参照して、コネクタハウジング１の特徴について説明する。
コネクタハウジング１は、反りＢ（図３（ａ））を低減することを目的とし、この目的を、実構造部３２を設けることにより、前方と後方の体積を近似させる第一の特徴と、実構造部３２の間に切り欠き３４を設けることにより、反りが生じにくくなるように溶融樹脂の流れを制御する第二の特徴を有している。以下、第一の特徴、第二の特徴の順に説明する。
【００２３】
［第一の特徴］
保持部２０を境界Ａとしてコネクタハウジング１を前方の嵌合部１０と後方のカバー３０に区分すると、嵌合部１０を構成する繊維強化樹脂の体積Ｖ１とカバー３０を構成する繊維強化樹脂の体積Ｖ２の比を、Ｖ１：Ｖ２＝１．２：１．０ としている。後述する比較例に示すように、この種のコネクタハウジング１は、通常、前方の嵌合部の体積が後方のカバーより１．５倍以上有しているのに対して、本実施形態のコネクタハウジング１は、前方と後方の体積が近似している。これが、コネクタハウジング１のなお、本実施形態ではＶ１：Ｖ２＝１．２：１．０としててるが、Ｖ１：Ｖ２＝１．０：１．０〜１．４：１．０を満足する範囲にあれば、反りの発生を低減でき、Ｖ１：Ｖ２＝１．０：１．０〜１．１：１．０の範囲にあれば、反りの発生をより低減できる。
本実施形態のコネクタハウジング１は、複数の実構造部３２をカバー３０に設けることにより、前方と後方の体積を近似させ、射出成形後にコネクタハウジング１に生じる反りを低減する。つまり、前方と後方の体積を近似させることにより、射出成形後に、嵌合部１０にカバー３０が引っ張られるのを抑え、その結果として、生じる反りＢ（図３（ａ））を小さくできる。
なお、第二の特徴として形成される切り欠きのことを考慮して、実構造部３２は形成される。
【００２４】
［第二の特徴］
次に、第二の特徴を説明する。
本発明者らのシミュレーションによる検討によると、繊維強化樹脂を射出成形すると、金型のキャビティに射出された樹脂が流れる向きに対して垂直方向に収縮する力が強い（図３（ｂ），図４（ｂ）参照）。本実施形態は、この収縮する力を、バランスさせることにより、反りＢを低減する。
コネクタハウジング１は、図３（ａ）に示すように、実構造部３２に切り欠き３４を隣接させている。図３（ｂ）に示すように、実構造部３２Ａについて観ると、実構造部３２Ａは、切り欠き３４Ａと切り欠き３４Ｂに挟まれている。
なお、コネクタハウジング１を射出成形する際には、強化繊維を含む溶融樹脂が金型のキャビティに注入されるゲートＧは、図３（ｂ）の白抜き矢印で示す位置に示されるように、幅方向ｙの両端に設定され、樹脂は当該矢印の向きに射出される。なお、図３（ｂ）は片側のゲートＧのみを示している。
【００２５】
実構造部３２Ａの周囲における溶融樹脂の流動状態及び射出成形後の収縮を示すと以下の通りである。
まず、嵌合部１０Ａから嵌合部１０Ｂにかけては、Ｆ１の矢印で示すように、嵌合部１０Ａから嵌合部１０Ｂの中間で後方に向けて凸となる流れをなし、この流れＦ１によると、流れＦ１の内側が黒い三角印で示すように、流れＦ１の内側（▲が記載されている側）が後収縮Ｃすることになる。
次に、嵌合部１０Ａと実構造部３２Ａの間について、溶融樹脂は、Ｆ２の矢印で示すように、切り欠き３４Ａの実構造部３２Ａの側の角部に沿った流れＦ２を形成する。この流れＦ２によると、流れＦ２の内側が後収縮Ｃすることになる。
次に、実構造部３２Ａと嵌合部１０Ｂの間について、溶融樹脂は、Ｆ３の矢印で示すように、切り欠き３４Ｂの実構造部３２Ａの側の角部に沿った流れＦ３を形成する。この流れＦ３によると、流れＦ２の内側が後収縮Ｃすることになる。
このように、一つの実構造部３２Ａの周囲について言うと、流れＦ１と流れＦ２と流れＦ３が異なる向きに流動しているために、嵌合部１０Ａと嵌合部１０Ｂの間に、特定の向きに偏った流動が生じることがない。これをコネクタハウジング１の幅方向ｙの全体としてみれば、反りＢを抑えることができる。
【００２６】
ここで、図４（ａ）に示すように、嵌合部１１０は、本実施形態の嵌合部１０と同様にして作製されるが、カバー１３０は、実構造部３２及び切り欠き３４を設けることなく、板状の上壁１３１と、上壁１３１から垂下する左側壁１３２及び右側壁１３３とからなるコネクタハウジング１００について検討する。
ゲートＧから射出された溶融樹脂は、嵌合部１１０Ａと嵌合部１１０Ｂの間で、流れＦで示すように、矢印Ｆで示すように、嵌合部１１０Ａから嵌合部１１０Ｂの中間で後方に向けて凸となる流れをなす。この流れＦの向きは、後方で曲率が大きくなるものの、前後方向ｘで基本的には変わらない。したがって、コネクタハウジング１００は、嵌合部１１０Ａと嵌合部１１０Ｂの間が、流れＦの内側だけが後収縮Ｃする形態をなすことになる。これをコネクタハウジング１の幅方向ｙの全体としてみれば、反りＢが大きくなる。
【００２７】
本実施形態のコネクタハウジング１とコネクタハウジング１００について、生じる反りＢを比較したところ、コネクタハウジング１はコネクタハウジング１００よりも反りＢを６０％低減できることを確認した。
なお、コネクタハウジング１とコネクタハウジング１００は、幅方向ｙの寸法がおよそ２００ｍｍ程度であり、カバー３０とカバー１３０の構造が相違する他は、形状、寸法が同じである。
【００２８】
以上、本発明の好適な実施形態を説明したが、本発明の主旨を逸脱しない限り、上記実施形態で挙げた構成を取捨選択したり、他の構成に適宜変更したりすることが可能である。
本実施形態は、五つのフード状の嵌合部を備えることを前提とするが、これは一例に過ぎず、本発明は複数の嵌合部を備えるコネクタハウジングに広く適用することができる。もっとも、本発明による効果は、嵌合部の数が多く幅方向ｙの寸法が大きいほど顕著になり、三つ以上のフード状の嵌合部を備えるコネクタハウジングに適用するのが効果的である。
【００２９】
また、コネクタハウジング１は、前述したように、実構造部３２Ａ，３２Ｂ，３２Ｃ，３２Ｄが幅方向ｙに左右対称に配置され、かつ、切り欠き３４Ａ，３４Ｂ，３４Ｃ，３４Ｄ，３４Ｅが幅方向ｙに左右対称に配置されている。これは、反りＢを低減する上で好ましい実施形態であるが、本発明はこれに限定されず、実構造部及び切り欠きが非対称に配置されていても、前方と後方の体積を近似させ、かつ、後方の構造部分において、反りＢを生じさせる向きだけで溶融樹脂が流れないように制御できればよい。したがって、複数の実構造部、複数の切り欠きの形状、寸法が相違してもよい。
【００３０】
次に、コネクタハウジング１は、それぞれの実構造部３２が幅方向ｙにおいて対応する二つの嵌合部１０と重複し、これは本発明において好ましい実施形態であるが、本発明を限定する要素ではない。つまり、本発明は、それぞれの実構造部３２が幅方向ｙにおいて対応する二つの嵌合部１０と重複しなくても、前述した第二の特徴の左右及び効果を得ることができる。しかし、コネクタハウジング１のように、実構造部３２を幅方向ｙにおいて対応する二つの嵌合部１０と重複させれば、反りＢに関連する流れＦ１による力と、後収縮Ｃに関連する流れＦ２，Ｆ３の力とが釣り合うため、反りＢを効果的に相殺する。
【００３１】
コネクタハウジング１は、繊維強化樹脂で構成されることとしたが、強化繊維を含まない樹脂材料を用いることもできる。
【符号の説明】
【００３２】
１ コネクタハウジング
１０，１０Ａ，１０Ｂ，１０Ｃ，１０Ｄ，１０Ｅ 嵌合部
１１ 嵌合フード
１２ 開口
１３ 受容空間
２０ 保持部
２１ 保持壁
２５ 保持孔
３０ カバー
３１ 上部構造
３２，３２Ａ，３２Ｂ，３２Ｃ，３２Ｄ 実構造部
３３ 肉抜き
３４，３４Ａ，３４Ｂ，３４Ｃ，３４Ｄ，３４Ｅ 切り欠き
３７ 左側壁
３８ 右側壁
【図１】
2017130257.tif 000003
【図２】
2017130257.tif 000004
【図３】
2017130257.tif 000005
【図４】
2017130257.tif 000006